(57)【要約】【課題】  一旦、携帯充放電器に急速充電し、その後、出先に於て、ゆっくりと時間を掛けて、携帯電話器のバッテリを充電することができる携帯電話器用充放電装置を提供することを目的とする。【解決手段】  コンビニエンスストアや公共場所等に設置され商用電源18に接続される定置式共用充放電器16と、接続状態で共用充放電器16から供給される電気エネルギを蓄える電気二重層コンデンサ８から成る蓄電部７と、定電圧出力部10を有する。さらに、共用充放電器16に接続分離自在であって、かつ、予め多数の使用者が携帯する多数の携帯充放電器20と、を具備する。かつ、使用者が携帯充放電器20の定電圧出力部10を、携帯電話器Ｔのバッテリ11に接続分離自在に接続して携帯しつつ充電するように構成したものである。【選択図】  図４
2006049331.tif 000002
【特許請求の範囲】
【請求項１】
コンビニエンスストアや公共場所等に設置され商用電源（18）に接続される定置式共用充放電器（16）と、
接続状態で該共用充放電器（16）から供給される電気エネルギを蓄える電気二重層コンデンサ（８）から成る蓄電部（７）と、定電圧出力部（10）を有し、さらに上記共用充放電器（16）に接続分離自在であって、かつ、予め多数の使用者が携帯する多数の携帯充放電器（20）と、
を具備し、上記使用者が上記携帯充放電器（20）の上記定電圧出力部（10）を、携帯電話器（Ｔ）のバッテリ（11）に接続分離自在に接続して携帯しつつ充電するように構成したことを特徴とする携帯電話器用充放電装置。
【請求項２】
定置式共用充放電器（16）は、商用電源（18）からの交流電力を整流・降圧する電源部（１）と、該電源部（１）からの直流電力を蓄える蓄電池（３）と、接続状態の携帯充放電器（20）に対して定電力を供給するように制御する定電力制御部（４）と、携帯充放電器（20）が接続分離自在に接続される端子（５）を、備えている請求項１記載の携帯電話器用充放電装置。
【請求項３】
携帯充放電器（20）の上記蓄電部（７）は、共用充放電器（16）から供給される電気エネルギを蓄える複数の電気二重層コンデンサ（８）を、直列接続して構成されている請求項１又は２記載の携帯電話器用充放電装置。
【請求項４】
共用充放電器（16）から携帯充放電器（20）の上記蓄電部（７）へ充電のために流れる電流を（Ｉ1 ）とすると共に、上記携帯電話器（Ｔ）のバッテリ（11）を充電するために上記蓄電部（７）から定電圧出力部（10）へ流れる電流を（Ｉ2 ）とすると、Ｉ1 ≫Ｉ2 となるように構成されている請求項１，２又は３記載の携帯電話器用充放電装置。
【請求項５】
５≦Ｉ1 ／Ｉ2 ≦ 200に設定した請求項４記載の携帯電話器用充放電装置。
【請求項６】
コンビニエンスストアや公共場所等にボックス型の共用充放電器（16）を設置し、電気二重層コンデンサ（８）を有すると共に予め使用者が携帯する携帯充放電器（20）を該使用者が上記共用充放電器（16）に接続すると共に上記共用充放電器（16）にて急速充電し、その後、上記使用者が上記携帯充放電器（20）を上記共用充放電器（16）から分離して携帯し、携帯中に上記携帯充放電器（20）を携帯電話器（Ｔ）に接続して、充電させることを特徴とする携帯電話器への充電方法。
【発明の詳細な説明】
【技術分野】
【０００１】
本発明は、携帯電話器用充放電装置及び充電方法に関する。
【背景技術】
【０００２】
従来、以下の（１）〜（５）のような携帯電話器等の充放電器が知られており、各々に問題があった。即ち、
（１）携帯電話器の充電器としては、商用電源に充電器を接続しその充電器に携帯電話器のバッテリを接続して長時間掛けて充電していた。そのため、充電器設置場所に携帯電話器が拘束されていた。
（２）携帯電話器に制御器を通じて乾電池を接続して充電するものはあったが、乾電池が消耗すると更に取り替えることが必要でコスト高になっていた。
（３）予備の携帯用バッテリを用意する例もあるが高価であり、サイクルの早い携帯電話器の予備電池の需要は少ない。
（４）電気二重層コンデンサを二次電池に変えて電源とし複数のコードレス機器を共通の充電器で充電するものも知られている（例えば、特許文献１参照）。しかし、携帯電話器の移動携行用に適さない。
（５）コードレス機器の電気二重層コンデンサと接続される充電用直流電源と、その直流電源と電気二重層コンデンサ間に並列に接続される充電用コンデンサを直流電源で充電しその充電された充電用コンデンサでもって電気二重層コンデンサに充電する技術は知られている（例えば上記特許文献１の請求項１参照）。しかし、充電用コンデンサに充電された電気エネルギを電気二重層コンデンサに移し変えるのみで携帯電話器の急速バッテリ充電には適さない。
【特許文献１】特公平８−３１３３９号公報
【発明の開示】
【発明が解決しようとする課題】
【０００３】
このように従来の上記（１）〜（５）のいずれの充（放）電器も、携帯電話器用としては適切なものが知られていなかった。特に、従来の携帯電話器用充電器｛上記（１）参照｝は、商用電源をバッテリに見合う直流電圧に変換して、充電器と携帯電話器を接続して、一定時間を掛けて充電するため、バッテリが満充電になるまで携帯電話器の使用は制限されるという大きな欠点があった。特に、外出先で携帯電話器のバッテリの電力が無くなったとき、迅速容易にその携帯電話器に充電できる好適な充放電システム（装置・設備）が無く、不便であった。（なお、一部に、60分〜90分を掛けて充電する設置式充放電器は用いられている。）
【０００４】
そこで本発明の目的は、コンビニエンスストア等に定置式の大型の共用充放電器を設置し、常時充分な電気エネルギを蓄えておき、これに小型の携帯充放電器を次々と接続して、各携帯充放電器に高速充電し、その後、この携帯充放電器を共用充放電器から取り外し、携帯充放電器を携行したまま携帯電話器のバッテリに、十分な時間を掛けて充電する等の全く新しい使用方法を提案することにある。
【課題を解決するための手段】
【０００５】
上記目的を達成するために、本発明に係る携帯電話器用充放電装置は、コンビニエンスストアや公共場所等に設置され商用電源に接続される定置式共用充放電器と、接続状態で該共用充放電器から供給される電気エネルギを蓄える電気二重層コンデンサから成る蓄電部と、定電圧出力部を有し、さらに上記共用充放電器に接続分離自在であって、かつ、予め多数の使用者が携帯する多数の携帯充放電器と、を具備し、上記使用者が上記携帯充放電器の上記定電圧出力部を、携帯電話器のバッテリに接続分離自在に接続して携帯しつつ充電するように構成した。
【０００６】
また、定置式共用充放電器は、商用電源からの交流電力を整流・降圧する電源部と、該電源部からの直流電力を蓄える蓄電池と、接続状態の携帯充放電器に対して定電力を供給するように制御する定電力制御部と、携帯充放電器が接続分離自在に接続される端子を、備えている。
【０００７】
また、携帯充放電器の上記蓄電部は、共用充放電器から供給される電気エネルギを蓄える複数の電気二重層コンデンサを、直列接続して構成されている。
【０００８】
また、共用充放電器から携帯充放電器の上記蓄電部へ充電のために流れる電流をＩ1 とすると共に、上記携帯電話器のバッテリを充電するために上記蓄電部から定電圧出力部へ流れる電流をＩ2 とすると、Ｉ1 ≫Ｉ2 となるように構成されている。特に、５≦Ｉ1 ／Ｉ2 ≦ 200に設定するのが望ましい。
【０００９】
そして、本発明に係る携帯電話器への充電方法は、コンビニエンスストアや公共場所等にボックス型の共用充放電器を設置し、電気二重層コンデンサを有すると共に予め使用者が携帯する携帯充放電器を該使用者が上記共用充放電器に接続すると共に上記共用充放電器にて急速充電し、その後、上記使用者が上記携帯充放電器を上記共用充放電器から分離して携帯し、携帯中に上記携帯充放電器を携帯電話器に接続して、充電させる方法である。
【発明の効果】
【００１０】
本発明は、次のような著大な効果を奏する。
本発明に係る携帯電話器用充放電装置及び充電方法によれば、１台の定置式共用充放電器に対して多数の携帯充放電器を次々と短時間にて充電できる。従って、定置式共用充放電器の場所に拘束される時間が短時間で済み、携帯充放電器の充電の後は、直ちに、移動できて至便である。
さらに、携帯充放電器のコンパクト化を図り易く、携帯電話器と共に充電した携帯充放電器を、カバンやハンドバッグやポケットに入れて持ち運べば、出先で必要な時、いつでも携帯電話器へ充電できる。また、定電圧出力部によって、携帯電話器（のバッテリを）定電圧を供給して充電するので、長い時間にわたって十分に充電させることができる。
つまり、急いで充電したいときには、コンビニエンスストア等で、一旦、携帯充放電器に急速充電し、その後、出先に於て、ゆっくりと時間を掛けて、携帯電話器のバッテリを充電するので、従来の充電方法の不便を解決して、極めて便利である。
【発明を実施するための最良の形態】
【００１１】
以下、実施の形態を示す図面に基づき、本発明を詳説する。
図１及び、図２に於て、16はボックス型（箱型）の定置式共用充放電器であり、20…は、ハンドバッグ、袋物、ポケット等に収納して携帯可能な（小型の）複数個の携帯充放電器を示す。
ボックス型の共用充放電器16は、コンビニエンスストア，ホテル，（列車やバス等の乗物の）駅，公共場所に設置され、コイン投入孔12を有し、また、携帯充放電器20を接続するための差込口（端子）５を有している。
【００１２】
図１〜図４に於て、定置式共用充放電器16は、商用電源18に入力プラグ（接続端子部）19を介して接続され、電源部１にて(100Ｖ交流を) 例えば12Ｖ直流に、整流・降圧され、制御部２を経て、蓄電池３に供給されて、電気エネルギが蓄えられる。定置式の共用充放電器16としては、この蓄電池３は十分に大型のものを使用可能である。
【００１３】
４は定電力制御部であり、蓄電池３からの出力側に接続され、この定電力制御部４の出力側は前記端子（差込口）５に接続される。
前記コイン投入孔12へコイン13が投入されたことを検知するセンサ・スイッチ14が共用充放電器16のボックスＢ内に設けられる。このセンサ・スイッチ14からのコイン検出信号Ｉ14は前記定電力制御部４へ送られる。
そして、接続状態の携帯充放電器20の蓄電部７へ電気エネルギを供給するように、この定電力制御部４によって制御される。
【００１４】
即ち、定置式共用充放電器16は、センサ・スイッチ14の検知作動によって、接続状態の携帯充放電器20の蓄電部７へ、電気エネルギを供給するよう制御するＯＮ・ＯＦＦ制御手段30を有しており、このＯＮ・ＯＦＦ制御手段30は、上記センサ・スイッチ14と、（上記検出信号Ｉ14を送る）配線と、定電力制御部４とから、構成される。
【００１５】
要するに、定置式共用充放電器16は、商用電源18からの交流電力を整流・降圧する電源部１と、この電源部１からの直流電力を蓄える蓄電部３と、この蓄電部３への充電量を管理する制御部２と、接続状態の携帯充放電器20に対して定電力を供給するように制御する定電力制御部４と、携帯充放電器20が接続分離自在に接続される端子（差込口）５、及び、センサ・スイッチ14等を、備えている。しかも、コイン13の投入をセンサ・スイッチ14が検知作動すると、携帯充放電器20への電気エネルギを供給開始するように制御するＯＮ・ＯＦＦ制御手段30を有する。
【００１６】
図１に於て、15はＬＥＤランプや液晶等の充電管理表示部であり、ＯＮ・ＯＦＦ制御手段30によるＯＮ・ＯＦＦの各表示、及び、携帯充放電器20の蓄電部７への充電状態又は充電量を、この表示部15に表示し、携帯充放電器20の保持者は、この表示部15に従って、接続端子６を差込口（端子）５から、分離すればよい。
なお、蓄電池３は固定ボックスＢ内に設置されているので、大型のバッテリ大容量のものを使用でき、しかも、電源部１及び制御部２によって、フロート充電を行って、常時、この蓄電池３を満充電状態で待機させることが、望ましい。
【００１７】
図３に於て、図１に示したコイン投入口12の下方に続く（ボックスＢ内の）コイン通路31を示し、樋状誘導部材32をもってコイン通路31を形成し、前記センサ・スイッチ14はコ字状として樋状誘導部材32を抱込状として付設されている。
【００１８】
携帯充放電器20は、（薄い）扁平箱型ケース17を有し、例えば、縦辺Ｌ1 が10cm〜15cm，横辺Ｌ2 が８cm〜10cm，厚さＬ3 が 0.5cm〜３cmの小型として、ハンドバッグやポケットやカバンに容易に収納して携帯可能な大きさ（サイズ）とする。この（携帯用）ケース17から２本の細いコード33, 34が突設されている。一方のコード33の先端には、前記端子５に接続分離自在に接続される（入力）端子６が設けられ、他方のコード34の先端には、（出力）端子35が付設される。
【００１９】
携帯充放電器20は、端子５と端子６の接続状態で、共用充放電器16から供給される電気エネルギを蓄える複数の電気二重層コンデンサ８…から成る蓄電部７と、定電圧出力部10と、を備えている。
そして、この携帯充放電器20の定電圧出力部10を、携帯電話器Ｔのバッテリ11に、接続分離自在に接続して充電可能である。具体的には、出力端子35が携帯電話器Ｔの接続端子部36に接続される。
【００２０】
図８と図４に示す如く、携帯充放電器20の蓄電部７は、共用充放電器16からの電気エネルギを蓄える複数の電気二重層コンデンサ８…を、直列接続して構成されている。つまり、この直列接続される二重層コンデンサ８…は、静電容量Ｃ1 ，Ｃ2 ………，Ｃn を有し、Ｖ1 ，Ｖ2 ，………，Ｖn は各端子電圧を示す。Ｅは蓄電部７の供給電圧であって、Ｅ＝Ｖ1 ＋Ｖ2 ＋………＋Ｖn （総電圧）に相当する。
【００２１】
図４に於て、端子５に端子６を接続し、共用充放電器16から携帯充放電器20の蓄電部７へ充電のために流れる電流をＩ1 とすると共に、その後の端子35と接続端子部36を接続した状態で携帯電話器Ｔのバッテリ11を充電するために蓄電部７から定電圧出力部10へ流れる電流をＩ2 とすると、Ｉ1 ≫Ｉ2 となるように設定する。即ち、５≦Ｉ1 ／Ｉ2 ≦ 200のように設定する。例えば、Ｉ1 ＝40Ａ，Ｉ2 ＝ 0.5Ａのように設定すれば、Ｉ1 ／Ｉ2 ＝80（倍）となり、Ｉ1 ＝ 100Ａ，Ｉ2 ＝ 0.5Ａのように設定すれば、Ｉ1 ／Ｉ2 ＝ 200（倍）となる。大容量の蓄電部７によって、直列接続された電気二重層コンデンサ８…に充電するに要する時間ｔ1 は、約10sec 〜約40sec で行い得て、至便であり、コンビニエンスストアや公共場所等にて、次々と、持ち込まれる多数の携帯電話器Ｔに能率良く充電を完了してゆくことができ、充電が終われば、その満充電の携帯充放電器20を携帯（持ち歩き）しつつ、携帯電話器Ｔに、十分な時間（一般に60分〜90分）を掛けて充電することが可能であるので便利である。言い換えれば、コンビニエンスストアや公共場所等に設置された共用充放電器16の場所には、短時間拘束されるのみで、高速（10sec 〜40sec ）の充電の後は、直ちに携帯充放電器20を携帯して持ち運び（移動）が可能であり、その間にも通話ができる。
【００２２】
次に、電源部１としては、例えば、図５又は図６若しくは図７に示す回路図が適用できる。
図５に於て、この電源部１は、商用電源18から電力が供給される整流回路22と、整流回路22から電気エネルギが供給されるスイッチング部23及び補助電源24と、スイッチング部23から出力トランス25を介して電気エネルギが供給される高周波整流回路26とを、備える。さらに、高周波整流回路26から制御部２・蓄電池３（図４参照）へ供給される電気エネルギの電圧を検出して定電圧とするための定電圧制御部27及びＰＷＭ制御部28と、ＰＷＭ制御部28からスイッチング部23へ制御信号が送信される駆動トランス29とを、備える。
【００２３】
また、図６に示す電源部１では、商用電源18からの電力が供給される整流器38と、平滑コンデンサ39，40と、チョークコイル41をもって構成される。図７では、商用電源18を、まず、降圧トランス42へ供給し、その後に、整流器38、及び、平滑コンデンサ39，40と、チョークコイル41に送るように、構成される。
【００２４】
上述のような充放電装置（システム）を用いて、携帯電話器Ｔへ充電する方法について、以下、説明する。コンビニエンスストア、ホテル、駅、公共場所等にボックス型の共用充放電器16を設置し、商用電源18に接続し、蓄電池３を充電して、フロート充電として満充電状態で待機させておく。予め多数の（一揃えの）携帯充放電器20…を多数の使用者に販売しておき、必要なとき、上記コンビニエンスストアや公共場所等に設置の共用充放電器16の差込口（端子）５に、携帯充放電器20の端子６を接続すると共に共用充放電器16のコイン投入孔12にコイン13を投入する。センサ・スイッチ14がそのコイン13の投入を検知し、検出信号Ｉ14によって定電力制御部４から、電流Ｉ1 のように、急速充電される。長くとも、１分〜２分にてその急速充電は完了する。好ましくは、10sec 〜40sec 、さらに望ましくは、13sec 〜20sec とする。充電管理表示部15にてその充電の完了を知り得る。
【００２５】
その後、携帯充放電器20を共用充放電器16から分離する。この分離によって、直ちに携帯（移動）が可能となり、ハンドバッグやポケットやカバンに収納して移動し、その移動中に、携帯充放電器20を携帯電話器Ｔに、接続して、充電させる。
【００２６】
携帯電話器Ｔのバッテリ11は、リチウム・イオン又はニッカド電池が用いられて、電池の性質上、満充電に達するまでには、一般に、60分〜90分も掛かるが、人が移動中（外出中）に小型の携帯充放電器20から容易に充電させ得る。このように、定置式の共用充放電器16の設置場所に、携帯電話が、60分〜90分も拘束される不便は発生しないで済む。
【００２７】
以上のように、本発明の携帯電話器用充放電装置は、コンビニエンスストアや公共場所等に設置され商用電源18に接続される定置式共用充放電器16と、接続状態で共用充放電器16から供給される電気エネルギを蓄える電気二重層コンデンサ８から成る蓄電部７と、定電圧出力部10を有し、さらに共用充放電器16に接続分離自在であって、かつ、予め多数の使用者が携帯する多数の携帯充放電器20と、を具備し、使用者が携帯充放電器20の定電圧出力部10を、携帯電話器Ｔのバッテリ11に接続分離自在に接続して携帯しつつ充電するように構成したので、１台の定置式共用充放電器16に対して多数の携帯充放電器20…を次々と短時間にて充電できる。従って、定置式共用充放電器16の場所に拘束される時間が短時間で済み、携帯充放電器20の充電の後は、直ちに、移動できて至便である。さらに、携帯充放電器20のコンパクト化を図り易く、携帯電話器Ｔと共に充電した携帯充放電器20を、カバンやハンドバッグやポケットに入れて持ち運べば、出先で必要な時、いつでも携帯電話器Ｔへ充電できる。また、定電圧出力部10によって、携帯電話器Ｔ（のバッテリ11を）定電圧を供給して充電するので、長い時間にわたって十分に充電させることができる。
【００２８】
また、定置式共用充放電器16は、商用電源18からの交流電力を整流・降圧する電源部１と、電源部１からの直流電力を蓄える蓄電池３と、接続状態の携帯充放電器20に対して定電力を供給するように制御する定電力制御部４と、携帯充放電器20が接続分離自在に接続される端子５を、備えているので、定置式充放電器16は重量大であっても定置式であるから問題がなく、従って、携帯充放電器20側を十分に軽量化して、コンパクト化を図り得る。
【００２９】
また、携帯充放電器20の蓄電部７は、共用充放電器16から供給される電気エネルギを蓄える複数の電気二重層コンデンサ８を、直列接続して構成されているので、直列接続の電気二重層コンデンサ８…は、携帯充放電器20の軽量・コンパクト化を図る上で有効であり、かつ、携帯電話器Ｔのバッテリ11を充電するに必要な電気エネルギを十分に蓄え得る。
【００３０】
また、共用充放電器16から携帯充放電器20の蓄電部７へ充電のために流れる電流をＩ1 とすると共に、携帯電話器Ｔのバッテリ11を充電するために蓄電部７から定電圧出力部10へ流れる電流をＩ2 とすると、Ｉ1 ≫Ｉ2 となるように構成され、また、５≦Ｉ1 ／Ｉ2 ≦ 200に設定しているので、人の自由が拘束されるところの定置式充放電器16では十分急速な充電ができ、他方、人の自由が拘束されない（出先でのハンドバッグやポケット等内での充電が可能な）携帯電話器Ｔへの充電では、（リチウム・イオン又はニッカド電池等から成る）バッテリ11に好適なゆっくりとした充電が行われ、合理的であり、使い勝手が著しく優れている。
【００３１】
また、本発明の携帯電話器への充電方法は、コンビニエンスストアや公共場所等にボックス型の共用充放電器16を設置し、電気二重層コンデンサ８を有すると共に予め使用者が携帯する携帯充放電器20を使用者が共用充放電器16に接続すると共に共用充放電器16にて急速充電し、その後、使用者が携帯充放電器20を共用充放電器16から分離して携帯し、携帯中に携帯充放電器20を携帯電話器Ｔに接続して、充電させるので、急いで充電したいときには、コンビニエンスストア等で、一旦、携帯充放電器20に急速充電し、その後、出先に於て、ゆっくりと時間を掛けて、携帯電話器Ｔのバッテリ11を充電するので、従来の充電方法の不便を解決して、極めて便利である。
【図面の簡単な説明】
【００３２】
【図１】本発明の実施の一形態を示す斜視図である。
【図２】要部説明用斜視図である。
【図３】要部斜視図である。
【図４】基本的構成説明用回路図である。
【図５】電源部の一例を示す回路図である。
【図６】電源部の他の例を示す回路図である。
【図７】電源部の別の例を示す回路図である。
【図８】直列接続を示す回路説明図である。
【符号の説明】
【００３３】
１  電源部
３  蓄電池
４  定電力制御部
５  端子
７  蓄電部
８  電気二重層コンデンサ
10  定電圧出力部
11  バッテリ
16  共用充放電器
18  商用電源
20  携帯充放電器
Ｔ  携帯電話器
Ｉ1   電流
Ｉ2   電流
【図１】
2006049331.tif 000003
【図２】
2006049331.tif 000004
【図３】
2006049331.tif 000005
【図４】
2006049331.tif 000006
【図５】
2006049331.tif 000007
【図６】
2006049331.tif 000008
【図７】
2006049331.tif 000009
【図８】
2006049331.tif 000010